(57)【要約】  本発明は、スポーツ用スティックに関し、より詳しくは、スポーツ用スティックの長さ可変時、テーパ面で構成されたテーパ部材を用いてスティックの固定力を強化させる長さが可変できるスポーツ用スティックの固定装置に関するものであって、取っ手が連結された上部管と、上部管の内に引出可能に挿入される下部管と、下部管の固定のための固定手段が含まれたスポーツ用スティックであって、固定手段は、下部管の内部に設けられ、外周面に外周面ねじ山部と外周面平坦部が順次に形成されて上部管に取り付けられる棒体と、棒体の外周面平坦部に固定され、外周面がテーパ面で形成されたテーパ部材と、棒体の外周面ねじ山部にテーパ部材を覆いかぶせるように取り付けられる押圧部材と、から構成されたことを特徴とし、固定手段とスティックとの間に確実な固定力が形成されるので、スティックに加えられる荷重を耐えて、容易にスティックが入って折り畳まれることを防止する。
2010534104.tif 000002
【特許請求の範囲】
【請求項１】
取っ手が連結された上部管１１０と、前記上部管１１０の内に引出可能に挿入される下部管１２０と、前記下部管１２０の固定のための固定手段１００とが含まれたスポーツ用スティックであって、
前記固定手段１００は、
前記下部管１２０の内部に設けられ、外周面に外周面ねじ山部１３０ａと外周面平坦部１３０ｂとが順次に形成されて前記上部管１１０に取り付けられる棒体１３０と、
前記棒体１３０の前記外周面平坦部１３０ｂに固定され、外周面がテーパ面で形成されたテーパ部材１４０と、
前記棒体１３０の前記外周面ねじ山部１３０ａに前記テーパ部材１４０を覆いかぶせるように取り付けられる押圧部材１６０と、
を含んで構成されたことを特徴とする長さが可変できるスポーツ用スティックの固定装置。
【請求項２】
前記棒体１３０には前記テーパ部材１４０の離脱を防止するリング部材１３５が更に設けられたことを特徴とする請求項１に記載の長さが可変できるスポーツ用スティックの固定装置。
【請求項３】
前記棒体１３０には上段に前記押圧部材１６０の離脱を防止するための離脱防止部材１５０が更に設けられたことを特徴とする請求項２に記載の長さが可変できるスポーツ用スティックの固定装置。
【請求項４】
前記棒体１３０には下部外周面に下部管係止段１３１が更に形成されたことを特徴とする請求項３に記載の長さが可変できるスポーツ用スティックの固定装置。
【請求項５】
前記押圧部材１６０は、内周面は前記テーパ部材１４０の外周面と同一な勾配のテーパ面で相互密着し、外周面は前記上部管１１０の内周面と相互密着するように形成されたことを特徴とする請求項１に記載の長さが可変できるスポーツ用スティックの固定装置。
【請求項６】
前記押圧部材１６０は、合成樹脂材で製作されたことを特徴とする請求項１に記載の長さが可変できるスポーツ用スティックの固定装置。
【請求項７】
前記押圧部材１６０には、第１、２スリット１６２、１６４が更に形成されたことを特徴とする請求項１に記載の長さが可変できるスポーツ用スティックの固定装置。
【請求項８】
前記第１スリット１６２は、“Ｉ”字形態であり、前記第２スリット１６４は“∩”形態であることを特徴とする請求項７に記載の長さが可変できるスポーツ用スティックの固定装置。
【請求項９】
前記第１スリット１６２は、前記第２スリット１６４の下部に位置されたことを特徴とする請求項８に記載の長さが可変できるスポーツ用スティックの固定装置。
【請求項１０】
取っ手が連結された上部管３１０と前記上部管３１０の内に引出可能に挿入される下部管３２０と、前記下部管３２０の固定のための固定手段２００が含まれたスポーツ用スティックであって、
前記固定手段２００は、
前記下部管３２０の内部に設けられ、外周面に第１外周面平坦部２３０ｂ、外周面ねじ山部２３０ａ、及び第２外周面平坦部２３０ｃが順次に形成されて前記上部管３１０に取り付けられる棒体２３０と、
前記棒体２３０の前記第２外周面平坦部２３０ｃに固定され、外周面がテーパ面で構成されたテーパ部材２４０と、
前記棒体２３０がインサート射出を通じて内部に設けられて前記下部管３２０に設けられる支持部材２９０と、
前記棒体２３０の前記外周面ねじ山部２３０ａに前記テーパ部材２４０を覆いかぶせるように取り付けられる押圧部材２６０と、
を含んで形成されたことを特徴とする長さが可変できるスポーツ用スティックの固定装置。
【請求項１１】
前記棒体２３０は、前記テーパ部材２４０の離脱を防止するテーパ部材係止段２３４が更に形成されたことを特徴とする請求項１０に記載の長さが可変できるスポーツ用スティックの固定装置。
【請求項１２】
前記棒体２３０には下部外周面に第１、２係止段２３５、２３６が更に形成されたことを特徴とする請求項１１に記載の長さが可変できるスポーツ用スティックの固定装置。
【請求項１３】
前記棒体２３０には端部に前記押圧部材２６０の離脱を防ぐために離脱防止部材２５０が更に設けられ、前記離脱防止部材２５０は“Ｅ”リングであることを特徴とする請求項１２に記載の長さが可変できるスポーツ用スティックの固定装置。
【請求項１４】
前記支持部材２９０は、上部外周面に下部管係止段２９１が更に形成されたことを特徴とする請求項１０に記載の長さが可変できるスポーツ用スティックの固定装置。
【請求項１５】
前記支持部材２９０は、内部に第１、２係止溝２９５、２９６が更に形成されたことを特徴とする請求項１４に記載の長さが可変できるスポーツ用スティックの固定装置。
【請求項１６】
前記支持部材２９０は、内部に前記棒体２３０がインサート射出されて前記第１、２係止段２３５、２３６が前記第１、２係止溝２９５、２９６に設けられて固定されることを特徴とする請求項１５に記載の長さが可変できるスポーツ用スティックの固定装置。
【請求項１７】
前記支持部材２９０は、前記下部管３２０に設けられてピン部材２７８により固定されることを特徴とする請求項１６に記載の長さが可変できるスポーツ用スティックの固定装置。
【請求項１８】
前記押圧部材２６０は、内周面が前記テーパ部材２４０の外周面と同一な勾配のテーパ面で相互密着し、外周面は前記上部管３１０の内周面と相互密着するように形成されたことを特徴とする請求項１０に記載の長さが可変できるスポーツ用スティックの固定装置。
【請求項１９】
前記押圧部材２６０には、内側に前記押圧部材２６０が前記棒体２３０の前記外周面ねじ山部２３０ａに沿って上・下に移動可能に移動ナット２８０がインサート射出されたことを特徴とする請求項１８に記載の長さが可変できるスポーツ用スティックの固定装置。
【請求項２０】
前記移動ナット２８０は、周り面の両側に押圧部材嵌込部２８２が形成されたことを特徴とする請求項１９に記載の長さが可変できるスポーツ用スティックの固定装置。
【請求項２１】
前記押圧部材２６０には、第１、２スリット２６２、２６４が更に形成されたことを特徴とする請求項１９に記載の長さが可変できるスポーツ用スティックの固定装置。
【請求項２２】
前記第１スリット２６２は“Ｉ”字形態であり、前記第２スリット２６４は“∩”形態であることを特徴とする請求項２１に記載の長さが可変できるスポーツ用スティックの固定装置。
【請求項２３】
前記第１スリット２６２は、前記第２スリット２６４の下部に位置されたことを特徴とする請求項２２に記載の長さが可変できるスポーツ用スティックの固定装置。
【発明の詳細な説明】
【技術分野】
【０００１】
本発明は、スポーツ用スティックに関し、より詳しくは、スポーツ用スティックの長さ可変時、テーパ面で構成されたテーパ部材を用いてスティックの固定力を強化させる長さが可変できるスポーツ用スティックの固定装置に関する。
【背景技術】
【０００２】
一般的に使われるスポーツ用スティックは、登山及びスキー用スティックとして使われる。通常、雪で覆われた山や、あるいは一般山登りの時、釣合い取りとと共に、体力消耗を減らし、より速く、かつ容易に歩行できるようにツエ形態で考案されたものであって、主としてスティックの長さが調節できるように製作される。
【０００３】
スティックは、２段あるいは多段式で構成されて使用者の体型によってその長さが自由に調節できるようにすることが特徴である。
【０００４】
図１は従来のスポーツ用スティックの断面図であり、図２は従来のスポーツ用スティックの固定手段が解除された状態で図１に図示されたＡ部分を示す断面図であり、図３は従来のスポーツ用スティックの固定手段が固定された状態で図１に図示されたＡ部分を示す断面図である。
【０００５】
図１、図２、及び図３に示すように、スティックの外形をなす上部管１０と、上部管１０より小さな直径を有し、上部管１０内に引出可能に挿入される下部管２０とから構成される。上部管１０の下段には上部管１０に挿入された下部管２０の一部を覆う覆い部材７０が構成され、上部管１０と下部管２０との間には上部管１０内に挿入された下部管２０の引出を調節する固定手段１が設けられる。
【０００６】
固定手段１は、摩擦部材４０、押圧部材６０、及び離脱防止部材５０から構成される。
摩擦部材４０は、スティックの下部管２０の内部に構成されて下部管２０の上段に一定の長さが露出される棒体３０に固定される。この際、摩擦部材４０の外周面の上段はテーパ面で構成され、下段は長手方向と平行した面で構成される。押圧部材６０は、摩擦部材４０が固定された後、棒体３０に取り付けられる。
【０００７】
押圧部材６０が棒体３０に取り付けられた後、棒体３０の最上段に押圧部材６０の離脱を防ぐために離脱防止部材５０が結合される。
【０００８】
図２に示すように、スティックの長さを可変にするために下部管２０を取って上部管１０をねじ緩め方向に回して固定手段１が上部管１０との固定が解除されれば、押圧部材６０は摩擦部材４０の外周面に沿って上方に移動しながら固定手段１の固定された状態が解ける。
【０００９】
長さを可変した後、下部管２０を取って上部管１０をねじ締め方向に回して締めれば、図３のように固定手段１が上部管１０に固定される。即ち、押圧部材６０は上部管１０と密着しているので、上部管１０の回す力によって棒体３０のねじ部に従って下降する。押圧部材６０は棒体３０に固定された摩擦部材４０の上段に構成されたテーパ面に沿って降りながら押圧部材６０の長手方向に構成された溝により直径が広がりながら上部管１０と密着固定される。この際、押圧部材６０の内周面は摩擦部材４０のテーパ面と点接触をなす。
【００１０】
即ち、点接触された押圧部材６０と摩擦部材４０は、信頼するほどの固定力を有していないので、使用過程でスティックの下方に乗せられる強い荷重を耐えられなくて、固定された固定手段１が解ける場合が発生することによって、使用に多くの不便性を与えるだけでなく、使用者の安全に脅威になる。
【発明の概要】
【発明が解決しようとする課題】
【００１１】
本発明は、上記のような問題を解決するためのものであって、本発明の目的は、固定手段とスティックとの間に確実な固定力が形成されて、安定した長さ維持及びスティックに乗せられる強い荷重を耐え、また長さが可変できるスポーツ用スティックの固定装置を提供することにある。
【課題を解決するための手段】
【００１２】
上記の目的を達成するために、本発明は、取っ手が連結された上部管と上部管の内に引出可能に挿入される下部管と、下部管の固定のための固定手段が含まれたスポーツ用スティックであって、固定手段は、下部管の内部に設けられ、外周面に外周面ねじ山部と外周面平坦部が順次に形成されて上部管に取り付けられる棒体と、棒体の外周面平坦部に固定され、外周面がテーパ面で構成されたテーパ部材と、棒体の外周面ねじ山部に上記テーパ部材を覆いかぶせるように取り付けられる押圧部材と、から構成されたことを特徴とする。
【００１３】
また、取っ手が連結された上部管と上部管の内に引出可能に挿入される下部管と、下部管の固定のための固定手段が含まれたスポーツ用スティックであって、固定手段は、下部管の内部に設けられ、外周面に第１外周面平坦部、外周面ねじ山部、及び第２外周面平坦部が順次に形成されて上部管に取り付けられる棒体と、棒体の第２外周面平坦部に固定され、外周面がテーパ面で構成されたテーパ部材と、棒体がインサート射出を通じて内部に設けられて下部管に設けられる支持部材と、棒体の外周面ねじ山部にテーパ部材を覆いかぶせるように取り付けられる押圧部材と、を含んで形成されたことを特徴とする。
【発明の効果】
【００１４】
本発明によれば、固定手段とスティックとの間に確実な固定力が形成されるので、スティックに加えられる荷重を耐えて、容易にスティックが入って折り畳まれることを防止する。
【００１５】
また、点接触でない面接触により確実な固定力が形成されるので、使用の便宜性及び製品の信頼性を高めることができる。
【００１６】
併せて、長さを可変して使用する登山用スティック、スキーポール、釣竿、及びテント用ポールなど、レジャー、スポーツ分野、延いては産業分野まで拡大適用が可能である。
【図面の簡単な説明】
【００１７】
【図１】従来のスポーツ用スティックの断面図である。
【図２】従来のスポーツ用スティックの固定手段が解除された状態で図１に図示されたＡ部分を示す断面図である。
【図３】従来のスポーツ用スティックの固定手段が固定された状態で図１に図示されたＡ部分を示す断面図である。
【図４】本発明の第１実施形態に係る固定手段の分解斜視図である。
【図５】本発明の第１実施形態に係る固定手段の結合正面図である。
【図６】図４に図示されたＢ−Ｂの断面図である。
【図７】第１実施形態に係る固定手段が解除された状態を示す半断面図である。
【図８】第１実施形態に係る固定手段が固定された状態を示す半断面図である。
【図９】本発明の第２実施形態に係る固定手段の分解斜視図である。
【図１０】本発明の第２実施形態に係る固定手段の結合斜視図である。
【図１１】第２実施形態に係る固定手段が解除された状態を示す半断面図である。
【図１２】第２実施形態に係る固定手段が固定された状態を示す半断面図である。
【発明を実施するための形態】
【００１８】
（第１実施形態の構成及び動作の説明）
図４は本発明の第１実施形態に係る固定手段の分解斜視図であり、図５は本発明の第１実施形態に係る固定手段の結合正面図であり、図６は図４に図示されたＢ−Ｂの断面図である。図４、図５、及び図６に示すように、取っ手が連結された上部管１１０と上部管１１０の内に引出可能に挿入される下部管１２０と、下部管１２０の固定のための固定手段１００が含まれたスポーツ用スティックにおいて、固定手段１００は、棒体１３０、テーパ部材１４０、及び押圧部材１６０を含んで構成される。
【００１９】
棒体１３０は外周面が山と谷形態のねじ山が形成された外周面ねじ山部１３０ａと、ねじ山が形成されていない外周面平坦部１３０ｂが順次に形成される。棒体１３０の一側は下部管１２０の内部に設けられ、他側は上部管１１０の内部に取り付けられる。外周面平坦部１３０ｂにはテーパ部材１４０が結合され、外周面ねじ山部１３０ａには押圧部材１６０が結合される。この際、外周面ねじ山部１３０ａと外周面平坦部１３０ｂとの間にリング部材１３５を取り付けることによって、押圧部材１６０によりテーパ部材１４０が棒体１３０から離脱することを防止する。また、棒体１３０の下部外周面には下部管係止段１３１が形成される。
【００２０】
テーパ部材１４０は、外周面がテーパ面で構成され、棒体１３０の外周面平坦部１３０ｂに広い直径が下に向かうように設けられる。
【００２１】
押圧部材１６０は、内周面がテーパ部材１４０の外周面と同一な勾配のテーパ面で形成される。また、押圧部材１６０はテーパ部材１４０を覆いかぶせるように密着して棒体１３０の外周面ねじ山部１３０ａに設けられる。また、押圧部材１６０の外周面は上部管１１０の内周面と密着するようにする。
【００２２】
また、押圧部材１６０には３個の第１スリット１６２と３個の第２スリット１６４が周り方向に構成される。第１スリット１６２は、押圧部材１６０の下段から長手方向に“Ｉ”字形態で形成され、第２スリット１６４は押圧部材１６０の上段に“∩”形態で形成される。また、“Ｉ”字形態である第１スリット１６２は“∩”形態である第２スリット１６４の下部に位置する。第１スリット１６２と第２スリット１６４は、固定手段１００の固定時、テーパ部材１４０により押圧部材１６０の直径が容易に伸びるようにする。また、押圧部材１６０は合成樹脂材で製作されるところ、弾性力を有する他の素材で製作しても関係ない。
【００２３】
以下、固定手段１００の結合及びスティックの長さ調節のための動作過程を説明する。
【００２４】
図７は第１実施形態に係る固定手段が解除された状態を示す半断面図であり、図８は第１実施形態に係る固定手段が固定された状態を示す半断面図である。図７及び図８に示すように、スポーツ用スティックはパイプ形態で内部が空いている上部管１１０と下部管１２０とが結合されて外形が形成される。上部管１１０は上段に取っ手が形成され、下段に覆い部材１７０が形成される。上部管１１０にはスティックの長さが調節できるように上部管１１０より小さな直径で製作された下部管１２０が引出可能に挿入される。
【００２５】
一方、上部管１１０と下部管１２０との間（即ち、連結部位）には下部管１２０を上部管１１０に固定させる固定手段１００が設けられる。
【００２６】
固定手段１００の棒体１３０は下部管１２０の上段に結合されて上部管１１０の内部に設けられる。この際、棒体１３０の下部管係止段１３１により下部管１２０の上段に棒体１３０が固定される。棒体１３０の外周面平坦部１３０ｂにはテーパ部材１４０を設け、棒体１３０の外周面ねじ山部１３０ａには押圧部材１６０を設ける。即ち、棒体１３０の外周面ねじ山部１３０ａに従って押圧部材１６０が上・下移動しながら押圧部材１６０の内周面はテーパ部材１４０のテーパ面と強く圧着される。
【００２７】
また、棒体１３０の外周面平坦部１３０ｂと外周面ねじ山部１３０ａとの間にリング部材１３５を設けてテーパ部材１４０の離脱を防止する。また、棒体１３０の外周面ねじ山部１３０ａの最上段には離脱防止部材１５０を設ける。これは、押圧部材１６０が外周面ねじ山部１３０ａを乗って上方に移動する過程で棒体１３０から離脱しないように押圧部材１６０の移動高さを制限するようになる。
【００２８】
図７に示すように、スティックの長さを可変するためには、まず上部管１１０に挿入されて下部管１２０を固定させる固定手段１００を動作させる。下部管１２０が固定されたことを解除した後、下部管１２０を希望する長さだけ引き出す。
【００２９】
即ち、下部管１２０を取って上部管１１０をねじ緩め方向に回すと、固定手段１００の押圧部材１６０は上部管１１０を回す力により棒体１３０の外周面ねじ山部１３０ａに従って上方に移動する。即ち、押圧部材１６０の外周面と上部管１１０の内周面との間にはかさかさしている摩擦力が存在するためである。この際、押圧部材１６０はテーパ部材１４０のテーパ面に沿って移動するので、押圧部材１６０の直径が小さくなりながらテーパ部材１４０との摩擦力が減って上部管１１０との固定が解除されて下部管１２０の引出が可能になる。
【００３０】
図８に示すように、下部管１２０を引き出した後、また固定手段１００を動作させて、これ以上上昇または下降できないように固定させる。
【００３１】
即ち、下部管１２０を取って上部管１１０を反対方向（ねじ締め方向）に回すと、固定手段１００の押圧部材１６０が棒体１３０の外周面ねじ山部１３０ａに沿って下方に移動する。この際、押圧部材１６０はテーパ部材１４０のテーパ面に沿って移動するので、押圧部材１６０の直径が大きくなりながら内周面はテーパ部材１４０と完全な面接触をなす。また、押圧部材１６０の外周面は上部管１１０と強く圧着されて下部管１２０を上部管１１０に固定させてスポーツ用スティックの可変された長さ状態を維持させることができる。
【００３２】
従来の押圧部材は下段の直径のみ広くなるので、第１スリット１６２のみ構成された。しかしながら、本発明の押圧部材１６０はテーパ部材１４０が完全なテーパ面で構成されて、これによって押圧部材１６０の全直径が広くなるので、第２スリット１６４が更に構成される。
【００３３】
本発明において、押圧部材１６０は３個の第１スリット１６２と３個の第２スリット１６２が構成されているが、その個数は限定されるのではない。
【００３４】
また、第１、２スリット１６２、１６４の形態もまた“Ｉ”字、“∩”形態に限定されず、多様な形態で構成できる。
【００３５】
また本発明は、登山用スティック、スキーポール、釣竿、及びテント用ポールのように長さを可変して使用することに適用可能である。
【００３６】
（第２実施形態の構成及び動作）
図９は本発明の第２実施形態に係る固定手段の分解斜視図であり、図１０は本発明の第２実施形態に係る固定手段の結合斜視図である。図９及び図１０に示すように、取っ手が連結された上部管３１０と、上部管３１０の内に引出可能に挿入される下部管３２０と、下部管３２０の固定のための固定手段２００とが含まれたスポーツ用スティックにおいて、固定手段２００は、下部管３２０の内部に設けられ、外周面に、第１外周面平坦部２３０ｂ、外周面ねじ山部２３０ａ、及び第２外周面平坦部２３０ｃが順次に形成されて、上部管３１０に取り付けられる棒体２３０と、棒体２３０の第２外周面平坦部２３０ｃに固定され、外周面がテーパ面で構成されたテーパ部材２４０と、棒体２３０がインサート射出を通じて内部に設けられて下部管３２０に設けられる支持部材２９０と、棒体２３０の外周面ねじ山部２３０ａにテーパ部材２４０を覆いかぶせるように取り付けられる押圧部材２６０と、を含んで構成される。
【００３７】
棒体２３０の第２外周面平坦部２３０ｃにはテーパ部材２４０が結合され、外周面ねじ山部２３０ａには押圧部材２６０が結合される。この際、外周面ねじ山部２３０ａと第２外周面平坦部２３０ｃとの間にはテーパ部材係止段２３４が形成されて押圧部材２６０によりテーパ部材２４０が棒体２３０から離脱することを防止する。また、棒体２３０の下部には第１、２係止段２３５、２３６が形成される。併せて、棒体２３０の上段には押圧部材２６０の離脱を防ぐために離脱防止部材２５０が設けられる。離脱防止部材２５０は内側に複数個の突起２５２が形成された“Ｅ”リングを使用して突起２５２が棒体２３０に構成された溝２３７に設けられて押圧部材２６０の離脱を防止する。
【００３８】
テーパ部材２４０は外周面がテーパ面で構成され、棒体２３０の第２外周面平坦部２３０ｃに広い直径が下に向かうように設けられる。
【００３９】
インサート射出を通じてテーパ部材２４０が設けられた棒体２３０が内部に設けられる支持部材２９０は、下部に第１挿入孔２９２が貫通形成される。また、支持部材２９０が設けられる下部管３２０にも第１挿入孔２９２と対応する位置に第２挿入孔３２２が形成されて支持部材２９０と下部管３２０とがピン部材２７８により固定される。支持部材２９０の上部外周面には下部管係止段２９１が形成されて下部管に支持部材２９０を固定できる。
【００４０】
押圧部材２６０は内周面がテーパ部材２４０の外周面と同一な勾配のテーパ面で形成されてテーパ部材２４０と密着する。また、押圧部材２６０の外周面は上部管３１０の内周面と密着するようにする。この際、押圧部材２６０の上段に少なくとも１つの押圧片２６８が形成される。
【００４１】
また、押圧部材２６０には３個の第１スリット２６２と３個の第２スリット２６４とが周り方向に構成される。第１スリット２６２及び第２スリット２６４は、前述した第１実施形態と同一に形成される。
【００４２】
また、押圧部材２６０の内部には棒体２３０の外周面ねじ山部２３０ａに沿って上・下に移動する移動ナット２８０がインサート射出を通じて設けられる。即ち、移動ナット２８０は外部周り面の両側に押圧部材嵌込部２８２が形成されて押圧部材２６０に設けられて外周面ねじ山部２３０ａに沿って押圧部材２６０が移動できるようにする。
【００４３】
以下、固定手段２００の結合及びスティックの長さ調節のための動作過程を説明する。
【００４４】
図１１は第２実施形態に係る固定手段が解除された状態を示す半断面図であり、図１２は第２実施形態に係る固定手段が固定された状態を示す半断面図である。図１１及び図１２に示すように、棒体２３０にテーパ部材２４０を設け、支持部材２９０にインサート射出を通じて設ける。棒体２３０は支持部材２９０にインサート射出により設けられるところ、この際、棒体２３０の第１、２係止段２３５、２３６は支持部材２９０の内部に形成された第１、２係止溝２９５、２９６と各々堅く固定される。また、支持部材２９０と下部管３２０は、第１、２挿入孔２９２、３２２に設けられるピン部材２７８により、一層堅く固定される。
【００４５】
テーパ部材２４０は棒体２３０の第２外周面平坦部２３０ｃに設けられ、テーパ部材２４０を覆いかぶせるように設けられた押圧部材２６０が棒体２３０の外周面ねじ山部２３０ａに設けられる。また、棒体２３０の第１外周面平坦部２３０ｂの上段には離脱防止部材２５０を設けて押圧部材２６０が移動ナット２８０により外周面ねじ山部２３０ａを乗って上方に移動する過程で棒体２３０から離脱しないようにする。
【００４６】
第２実施形態の固定手段２００の作動は、前述した第１実施形態の固定手段１００の作動と同一な過程でなされる。
【００４７】
即ち、図１１に示すように、上部管３１０を取って下部管３２０を回して固定手段２００を解除すれば、押圧部材２６０は棒体２３０の外周面ねじ山部２３０ａに沿って上方に移動する。この際、完全に押圧部材２６０が解除されれば、押圧部材２６０はテーパ部材２４０のテーパ面に沿って移動して離脱防止部材２５０が設けられた第１外周面平坦部２３０ｂまで移動するようになる。即ち、押圧部材２６０の直径が小さくなることによって固定手段２００が解除され、スティックの長さ調節が可能になる。
【００４８】
また、押圧片２６８が上部管３１０の内周面と密着しているので、固定手段２００が解除された状態でも押圧部材２６０が上部管３１０と密着関係を維持するようにする。
【００４９】
また、図１２に示すように、スティックの長さを調節した後、また上部管３１０を取って下部管３２０を回して固定手段２００を動作させれば、押圧部材２６０が棒体２３０の外周面ねじ山部２３０ａに沿って下方に移動して固定される。押圧部材２６０はテーパ部材２４０のテーパ面に沿って移動され、押圧部材２６０の第１、２スロット２６２、２６４により押圧部材２６０の直径が広くなりながらテーパ部材２４０と下部管３２０に完全に密着固定される。
【産業上の利用可能性】
【００５０】
本発明によれば、固定手段とスティックとの間に確実な固定力が形成されるので、スティックに加えられる荷重を耐えて、容易にスティックが入って折り畳まれることを防止する。
【００５１】
また、点接触でない面接触により確実な固定力が形成されるので、使用の便宜性及び製品の信頼性を高めることができる。
【００５２】
併せて、長さを可変して使用する登山用スティック、スキーポール、釣竿、及びテント用ポールなど、レジャー、スポーツ分野、延いては産業分野まで拡大適用が可能である。
【符号の説明】
【００５３】
１００、２００    固定手段
１１０、３１０    上部管
１２０、３２０    下部管
１３０、２３０    棒体
１３０ａ、２３０ａ    外周面ねじ山部
１３０ｂ    外周面平坦部
１３１、２９１    下部管係止段
１３５    リング部材
１４０、２４０    テーパ部材
１５０、２５０    離脱防止部材
１６０、２６０    押圧部材
１６２、２６２    第１スリット
１６４、２６４    第２スリット
１７０、２７０    覆い部材
２３０ｂ    第１外周面平坦部
２３０ｃ    第２外周面平坦部
２３４    テーパ部材係止段
２３５    第１係止段
２３６    第２係止段
２３７    溝
２５２    突起
２６８    押圧片
２７８    ピン部材
２８０    移動ナット
２８２    押圧部材嵌込部
２９０    支持部材
２９２    第１挿入孔
２９５    第１係止溝
２９６    第２係止溝
３２２    第２挿入孔
【図１】
2010534104.tif 000003
【図２】
2010534104.tif 000004
【図３】
2010534104.tif 000005
【図４】
2010534104.tif 000006
【図５】
2010534104.tif 000007
【図６】
2010534104.tif 000008
【図７】
2010534104.tif 000009
【図８】
2010534104.tif 000010
【図９】
2010534104.tif 000011
【図１０】
2010534104.tif 000012
【図１１】
2010534104.tif 000013
【図１２】
2010534104.tif 000014
【国際調査報告】
2010534104.tif 000015
2010534104.tif 000016